(57)【要約】【課題】回転軸あるいは基台を軽量化すると共に、水分が付着したり、所定時間放置したときであっても、劣化したり、錆が発生しない洗浄ブラシを提供する。【解決手段】被洗浄面に付着した塵埃を清掃する為の洗浄ブラシにおいて、前記洗浄ブラシは回転軸及びブラシ片より構成されてあり、前記ブラシ片は前記回転軸の外周部に形成されてあると共に、前記回転軸の表面に塗装皮膜が形成されてある。【選択図】　　　　図３
2004016773.tif 000002
【特許請求の範囲】
【請求項１】
被洗浄面に付着した塵埃を清掃する為の洗浄ブラシにおいて、前記洗浄ブラシは回転軸及びブラシ片より構成されてあり、前記ブラシ片は前記回転軸の外周部に形成されてあると共に、前記回転軸の表面に塗装皮膜が形成されてあることを特徴とする洗浄ブラシ。
【請求項２】
被洗浄面に付着した塵埃を清掃する為の洗浄ブラシにおいて、前記洗浄ブラシは基台及びブラシ片より構成されてあり、前記ブラシ片は前記基台の表面部に形成されてあると共に、前記基台の表面に塗装皮膜が形成されてあることを特徴とする洗浄ブラシ。
【請求項３】
請求項１あるいは２記載の構成よりなる洗浄ブラシにおいて、前記塗装皮膜の材料として、油性塗料、繊維素誘導体塗料、合成樹脂塗料、フッ素樹脂塗料、酒精塗料、電気絶縁塗料あるいは導電性塗料が使用されてあると共に、前記回転軸あるいは前記基台の材質として、木、紙、天然樹脂発泡体、合成樹脂発泡体、天然繊維、化学繊維、天然樹脂、合成樹脂、天然ゴム、あるいは合成ゴムが使用されてあることを特徴とする洗浄ブラシ。
【発明の詳細な説明】
【０００１】
【発明の属する技術分野】
本発明は、被洗浄面に付着した塵埃を清掃する為の洗浄ブラシに関するものである。
【０００２】
【従来の技術】
従来の洗浄ブラシを、図１及び図２を用いて説明する。図１は、従来の洗浄ブラシの一例を示す斜視図である。図１において、１は洗浄ブラシ、２は回転軸、３はブラシ片である。洗浄ブラシ１は、図１の如く、円筒形状の回転軸２が形成されていると共に、回転軸２の外周部に、複数のブラシ片３が形成されてある。回転軸２の材質には、使用する目的に応じて、塩化ビニル、アルミ合金あるいは各種鋼材が使用されてある。また、図２は、従来の洗浄ブラシの一例を示す斜視図である。図２において、１１は洗浄ブラシ、１３はブラシ片、１６は基台である。洗浄ブラシ１１は、図２の如く、平板形状の基台１６が形成されていると共に、基台１６の上面部に、複数のブラシ片１３が形成されてある。基台１６の材質には、使用する目的に応じて、塩化ビニル、アルミ合金あるいは各種鋼材が使用されてある。
【０００３】
【発明が解決しようとする課題】
しかしながら、従来の洗浄ブラシ１あるいは洗浄ブラシ１１は、回転軸２あるいは基台１６の材質として、塩化ビニル、アルミ合金あるいは各種鋼材が使用されてある為、回転軸２あるいは基台１６の重量が大きくなりすぎてしまうという課題を有していた。また、回転軸２あるいは基台１６の材質として、各種鋼材を使用した場合には、水分が付着したり、所定時間放置したときには、劣化したり、錆びてしまうという課題を有していた。
【０００４】
本発明は、上記のような問題を解決するためになされたもので、回転軸あるいは基台を軽量化すると共に、水分が付着したり、所定時間放置したときであっても、劣化したり、錆が発生しない洗浄ブラシを提供することを目的としている。
【０００５】
【課題を解決するための手段】
本発明にかかる洗浄ブラシは、次のように構成したものである。
（１）被洗浄面に付着した塵埃を清掃する為の洗浄ブラシにおいて、前記洗浄ブラシは回転軸及びブラシ片より構成されてあり、前記ブラシ片は前記回転軸の外周部に形成されてあると共に、前記回転軸の表面に塗装皮膜が形成されてあるものである。
【０００６】
（２）被洗浄面に付着した塵埃を清掃する為の洗浄ブラシにおいて、前記洗浄ブラシは基台及びブラシ片より構成されてあり、前記ブラシ片は前記基台の表面部に形成されてあると共に、前記基台の表面に塗装皮膜が形成されてあるものである。
【０００７】
（３）上記（１）あるいは（２）記載の構成よりなる洗浄ブラシにおいて、前記塗装皮膜の材料として、油性塗料、繊維素誘導体塗料、合成樹脂塗料、フッ素樹脂塗料、酒精塗料、電気絶縁塗料、あるいは導電性塗料が使用されてあると共に、前記回転軸あるいは前記基台の材質として、木、紙、天然樹脂発泡体、合成樹脂発泡体、天然繊維、化学繊維、天然樹脂、合成樹脂、天然ゴム、あるいは合成ゴムが使用されてあるものである。
【０００８】
【発明の実施の形態】
実施の形態１
図３に実施の形態１を示す。図３は、本発明の実施の形態１の洗浄ブラシを示す斜視図である。図３において、２１は洗浄ブラシ、２２は回転軸、２３はブラシ片、２４は塗装皮膜である。
【０００９】
本発明の洗浄ブラシは、図３の如く、回転軸２２及びブラシ片２３より構成されてある。回転軸２２は、概円筒形状を形成していて、外周部には複数のブラシ片２３が形成されてある。また、回転軸２２の表面には、塗装皮膜２４が形成されてある。
【００１０】
本発明の実施の形態１の洗浄ブラシは、上記の如くの構成となっている為、回転軸２２の表面に形成されてある塗装皮膜２４が、回転軸２２への水分の付着を防止することができる。また、洗浄ブラシを、所定時間放置したときであっても、回転軸２２が劣化したり、錆が発生することがない。
【００１１】
実施の形態２
図４に実施の形態２を示す。図４は、本発明の実施の形態２の洗浄ブラシを示す斜視図である。図４において、３１は洗浄ブラシ、３３はブラシ片、３４は塗装皮膜、３６は基台である。
【００１２】
本発明の洗浄ブラシは、図４の如く、基台３６及び、ブラシ片３３より構成されてある。基台３６は、概平板形状を形成していて、上面部には複数のブラシ片３３が形成されてある。また、基台３６の表面には、塗装皮膜３４が形成されてある。
【００１３】
本発明の実施の形態２の洗浄ブラシは、上記の如くの構成となっている為、基台３６の表面に形成されてある塗装皮膜３４が、基台３６への水分の付着を防止することができる。また、洗浄ブラシを、所定時間放置したときであっても、基台３６が劣化したり、錆が発生することがない。
【００１４】
実施の形態３
図５に実施の形態３を示す。図５は、本発明の実施の形態３の洗浄ブラシを示す斜視図である。図５において、４１は洗浄ブラシ、４２は回転軸、４３はブラシ片、４４は塗装皮膜である。
【００１５】
本発明の洗浄ブラシは、図５の如く、回転軸４２及びブラシ片４３より構成されてある。回転軸４２は、概円筒形状を形成していて、外周部には複数のブラシ片４３が形成されてある。また、回転軸４２の表面には、塗装皮膜４４が形成されてある。塗装皮膜４４の材料としては、油性塗料、繊維素誘導体塗料、合成樹脂塗料、フッ素樹脂塗料、酒精塗料、電気絶縁塗料あるいは導電性塗料が、洗浄ブラシの用途に応じて使用されてある。回転軸４２の材質には、紙が使用されてある。
【００１６】
本発明の実施の形態３の洗浄ブラシは、上記の如くの構成となっている為、回転軸４２の表面に形成されてある塗装皮膜４４が、回転軸４２への水分の付着を防止することができると共に、回転軸４２の重量を、軽くすることができる。また、使用する塗料を、洗浄ブラシ４１の用途に応じて適時選定することにより、例えば、電気絶縁性や導電性等の特性を、回転軸４２の表面に付与させることができる。
【００１７】
本発明の実施の形態３の洗浄ブラシは、上記の如くの構成となっているが、回転軸４２の材料としては、軽量化をすることが可能な材料ならば、使用する目的に応じて、適時、他に天然樹脂発泡体、合成樹脂発泡体、天然繊維、化学繊維、天然樹脂、合成樹脂、天然ゴム、あるいは合成ゴム等を使用しても、何ら支障は無い。
【００１８】
また、図６に実施の形態３の他の実施例を示す。図６は、本発明の実施の形態３の他の実施例の洗浄ブラシを示す斜視図である。図６において、５１は洗浄ブラシ、５３はブラシ片、５４は塗装皮膜、５６は基台である。
【００１９】
本発明の実施の形態３の他の実施例の洗浄ブラシは、図６の如く、基台５６及び、ブラシ片５３より構成されてある。基台５６は、概平板形状を形成していて、上面部には複数のブラシ片５３が形成されてある。また、基台５６の表面には、塗装皮膜５４が形成されてある。塗装皮膜５４の材料としては、油性塗料、繊維素誘導体塗料、合成樹脂塗料、フッ素樹脂塗料、酒精塗料、電気絶縁塗料あるいは導電性塗料が、洗浄ブラシの用途に応じて使用されてある。基台５６の材質には、木が使用されてある。
【００２０】
本発明の実施の形態３の他の実施例の洗浄ブラシは、上記の如くの構成となっている為、基台５６の表面に形成されてある塗装皮膜５４が、基台５６への水分の付着を防止することができると共に、基台５６の重量を、軽くすることができる。また、使用する塗料を、洗浄ブラシ５１の用途に応じて適時選定することにより、例えば、電気絶縁性や導電性等の特性を、基台５６の表面に付与させることができる。
【００２１】
本発明の実施の形態３の洗浄ブラシは、上記の如くの構成となっているが、基台５６の材料としては、軽量化をすることが可能な材料ならば、使用する目的に応じて、適時、他に天然樹脂発泡体、合成樹脂発泡体、天然繊維、化学繊維、天然樹脂、合成樹脂、天然ゴム、あるいは合成ゴム等を使用しても、何ら支障は無い。
【００２２】
【発明の効果】
以上の説明から明らかなように、本発明の洗浄ブラシは次に示すような効果を得ることができる。なお、説明にあたっては、請求項の番号と同じ番号を付して説明する。
【００２３】
（１）回転軸の表面に形成されてある塗装皮膜が、回転軸への水分の付着を防止することができる。また、洗浄ブラシを、所定時間放置したときであっても、回転軸が劣化したり、錆が発生することがない。
【００２４】
（２）基台の表面に形成されてある塗装皮膜が、基台への水分の付着を防止することができる。また、洗浄ブラシを、所定時間放置したときであっても、基台が劣化したり、錆が発生することがない。
【００２５】
（３）回転軸の表面に形成されてある塗装皮膜が、回転軸への水分の付着を防止することができると共に、回転軸の重量を軽くすることができる。また、使用する塗料を、洗浄ブラシの用途に応じて適時選定することにより、例えば、電気絶縁性や導電性等の特性を、回転軸の表面に付与させることができる。基台の上面部に複数のブラシ片が形成された洗浄ブラシを使用した場合には、基台の表面に形成されてある塗装皮膜が、基台への水分の付着を防止することができると共に、基台の重量を、軽くすることができる。また、使用する塗料を、洗浄ブラシの用途に応じて適時選定することにより、例えば、電気絶縁性や導電性等の特性を、基台の表面に付与させることができる。
【図面の簡単な説明】
【図１】従来の洗浄ブラシの一例を示す斜視図である。
【図２】従来の洗浄ブラシの一例を示す斜視図である。
【図３】本発明の実施の形態１の洗浄ブラシを示す斜視図である。
【図４】本発明の実施の形態２の洗浄ブラシを示す斜視図である。
【図５】本発明の実施の形態３の洗浄ブラシを示す斜視図である。
【図６】本発明の実施の形態３の他の実施例の洗浄ブラシを示す斜視図である。
【符号の説明】
１、１１、２１、３１、４１、５１　洗浄ブラシ
２、２２、４２　回転軸
３、１３、２３、３３、４３、５３　ブラシ片
１６、３６、５６　基台　２４、３４、４４、５４　塗装皮膜
【図１】
2004016773.tif 000003
【図２】
2004016773.tif 000004
【図３】
2004016773.tif 000005
【図４】
2004016773.tif 000006
【図５】
2004016773.tif 000007
【図６】
2004016773.tif 000008